(57)【要約】【課題】この発明は、カード媒体の“追い越し”を容易且つ確実に判断できる搬送装置、およびＩＤカード作成装置を提供することを課題とする。【解決手段】搬送装置１は、上流側装置２と搬送部４を有する。上流側装置２から搬送部４へ送り込まれるカード媒体Ｐの搬送方向先端をセンサ７で検知してカード媒体Ｐの搬入間隔を算出し、センサ８でカード媒体Ｐの搬送方向先端を検知して排出間隔を算出する。そして、搬入間隔と排出間隔が近似している場合に正常搬送を判断して近似していない場合にカード媒体Ｐの追い越しを判断する。【選択図】      図１
2005251084.tif 000002
【特許請求の範囲】
【請求項１】
送り込まれる複数枚のカード媒体を搬送して排出する搬送部と、
この搬送部に送り込まれるカード媒体を検知する第１検知部と、
上記搬送部から排出されるカード媒体を検知する第２検知部と、
上記第１検知部でカード媒体を検知してから当該第１検知部で次のカード媒体を検知するまでの第１の時間を搬送される全てのカード媒体に関して計測する第１計測部と、
上記第２検知部でカード媒体を検知してから当該第２検知部で次のカード媒体を検知するまでの第２の時間を搬送される全てのカード媒体に関して計測する第２計測部と、
上記第１計測部における計測結果と上記第２計測部における計測結果に基づいてカード媒体に追い越しを生じているか否かを判断する判断部と、
を有することを特徴とする搬送装置。
【請求項２】
上記判断部は、先行して搬送される第１のカード媒体を上記第１検知部が検知してから次に搬送される後続の第２のカード媒体を上記第１検知部が検知するまでの上記第１の時間と、上記第１のカード媒体を上記第２検知部が検知してから上記第２のカード媒体を上記第２検知部が検知するまでの上記第２の時間と、を比較し、上記第１の時間と第２の時間との差が予め設定した割合を超えた場合にカード媒体に追い越しが生じたことを判断することを特徴とする請求項１に記載の搬送装置。
【請求項３】
上記第１検知部よりカード媒体の搬送方向上流側でカード媒体を検知する第３検知部をさらに有し、
上記判断部は、上記搬送部に送り込まれる１枚目のカード媒体を上記第３検知部で検知してから上記第１検知部で当該１枚目のカード媒体を検知するまでの第３の時間を予め計測した基準時間と比較して当該１枚目のカード媒体に追い越しを生じているか否かを判断することを特徴とする請求項１または請求項２に記載の搬送装置。
【請求項４】
上記判断部がカード媒体の追い越しを生じていることを判断したのに基づき、追い越しが生じていることを通知する通知部をさらに有することを特徴とする請求項１乃至請求項３のうちいずれか１項に記載の搬送装置。
【請求項５】
ＩＣチップを内蔵した複数枚のカード媒体を搬送路上に１枚ずつ取り出す取り出し部と、
搬送路上に取り出されたカード媒体の表面に個人情報を印刷する印刷部と、
この印刷部を介して送り込まれる複数枚のカード媒体を搬送して排出する搬送部と、
この搬送部に送り込まれるカード媒体を検知する第１検知部と、
上記搬送部から排出されるカード媒体を検知する第２検知部と、
上記搬送部から排出されたカード媒体のＩＣチップに上記個人情報に関するデータを記憶するデータ記憶部と、
上記第１検知部でカード媒体を検知してから当該第１検知部で次のカード媒体を検知するまでの第１の時間を全てのカード媒体に関して計測する第１計測部と、
上記第２検知部でカード媒体を検知してから当該第２検知部で次のカード媒体を検知するまでの第２の時間を全てのカード媒体に関して計測する第２計測部と、
上記第１計測部における計測結果と上記第２計測部における計測結果に基づいてカード媒体に追い越しを生じているか否かを判断する判断部と、
を有することを特徴とするＩＤカード作成装置。
【請求項６】
上記判断部は、先行して搬送される第１のカード媒体を上記第１検知部が検知してから次に搬送される後続の第２のカード媒体を上記第１検知部が検知するまでの上記第１の時間と、上記第１のカード媒体を上記第２検知部が検知してから上記第２のカード媒体を上記第２検知部が検知するまでの上記第２の時間と、を比較し、上記第１の時間と第２の時間との差が予め設定した割合を超えた場合にカード媒体に追い越しが生じたことを判断することを特徴とする請求項５に記載のＩＤカード作成装置。
【請求項７】
上記第１検知部よりカード媒体の搬送方向上流側でカード媒体を検知する第３検知部をさらに有し、
上記判断部は、上記搬送部に送り込まれる１枚目のカード媒体を上記第３検知部で検知してから上記第１検知部で当該１枚目のカード媒体を検知するまでの第３の時間を予め計測した基準時間と比較して当該１枚目のカード媒体に追い越しを生じているか否かを判断することを特徴とする請求項５または請求項６に記載のＩＤカード作成装置。
【請求項８】
上記判断部がカード媒体の追い越しを生じていることを判断したのに基づき、追い越しが生じていることを通知する通知部をさらに有することを特徴とする請求項５乃至請求項７のうちいずれか１項に記載のＩＤカード作成装置。
【発明の詳細な説明】
【技術分野】
【０００１】
この発明は、カード状の媒体を搬送する搬送装置、およびＩＣチップにデータを記憶してカード表面に情報を印刷することによりＩＤカードを作成するＩＤカード作成装置に関する。
【背景技術】
【０００２】
従来、ＩＤカード作成装置として、カード表面に所有者の顔画像や個人情報を印刷し、カードに内蔵したＩＣチップに個人情報に関するデータを記憶することにより、ＩＤカードを作成する装置が知られている（例えば、特許文献１参照。）。
【０００３】
しかし、この種の装置では、カード表面に各種情報を印刷した後、カード媒体を搬送し、ＩＣチップに各種データを記憶するため、カード媒体を搬送している間に、何らかの原因によって、カード媒体の搬送順序が入れ替わる“追い越し”を生じてしまうと、カード表面に印刷した情報とＩＣチップに記憶したデータの整合性が取れなくなり、間違った情報を書き込んだＩＤカードを所有者に発行してしまうといった重大な問題を生じてしまう。
【特許文献１】特開２００３−５８８２９号公報（図１）
【発明の開示】
【発明が解決しようとする課題】
【０００４】
この発明の目的は、カード媒体の“追い越し”を容易且つ確実に判断できる搬送装置、およびＩＤカード作成装置を提供することにある。
【課題を解決するための手段】
【０００５】
上記目的を達成するため、本発明の搬送装置は、送り込まれる複数枚のカード媒体を搬送して排出する搬送部と、この搬送部に送り込まれるカード媒体を検知する第１検知部と、上記搬送部から排出されるカード媒体を検知する第２検知部と、上記第１検知部でカード媒体を検知してから当該第１検知部で次のカード媒体を検知するまでの第１の時間を搬送される全てのカード媒体に関して計測する第１計測部と、上記第２検知部でカード媒体を検知してから当該第２検知部で次のカード媒体を検知するまでの第２の時間を搬送される全てのカード媒体に関して計測する第２計測部と、上記第１計測部における計測結果と上記第２計測部における計測結果に基づいてカード媒体に追い越しを生じているか否かを判断する判断部と、を有することを特徴とする。
【０００６】
上記発明によると、搬送部に送り込まれるカード媒体の搬送間隔と搬送部から送り出されるカード媒体の搬送間隔を比較することにより、搬送部にてカード媒体の搬送順序が逆転する“追い越し”を生じているか否かを容易且つ確実に判断できる。
【０００７】
また、本発明のＩＤカード作成装置は、ＩＣチップを内蔵した複数枚のカード媒体を搬送路上に１枚ずつ取り出す取り出し部と、搬送路上に取り出されたカード媒体の表面に個人情報を印刷する印刷部と、この印刷部を介して送り込まれる複数枚のカード媒体を搬送して排出する搬送部と、この搬送部に送り込まれるカード媒体を検知する第１検知部と、上記搬送部から排出されるカード媒体を検知する第２検知部と、上記搬送部から排出されたカード媒体のＩＣチップに上記個人情報に関するデータを記憶するデータ記憶部と、上記第１検知部でカード媒体を検知してから当該第１検知部で次のカード媒体を検知するまでの第１の時間を全てのカード媒体に関して計測する第１計測部と、上記第２検知部でカード媒体を検知してから当該第２検知部で次のカード媒体を検知するまでの第２の時間を全てのカード媒体に関して計測する第２計測部と、上記第１計測部における計測結果と上記第２計測部における計測結果に基づいてカード媒体に追い越しを生じているか否かを判断する判断部と、を有することを特徴とする。
【０００８】
上記発明によると、印刷部で個人情報を印刷したカード媒体を搬送部で搬送し、カード媒体に内蔵されたＩＣチップに当該個人情報に関するデータを記憶するＩＤカード作成装置において、印刷部を介して搬送部に送り込まれるカード媒体の搬送間隔と搬送部から記憶部に向けて送り出されるカード媒体の搬送間隔を比較することにより、搬送部にてカード媒体の搬送順序が逆転する“追い越し”を生じているか否かを容易且つ確実に判断できる。このため、カード媒体の表面に印刷した個人情報とＩＣチップに記憶した個人情報に関するデータとの整合性がとれ、間違った情報を記録したＩＤカードを作成することを防止できる。
【発明の効果】
【０００９】
この発明の搬送装置、およびＩＤカード作成装置は、上記のような構成および作用を有しているので、カード媒体の“追い越し”を容易且つ確実に判断できる。
【発明を実施するための最良の形態】
【００１０】
以下、図面を参照しながらこの発明の実施の形態について詳細に説明する。  
図１には、この発明の実施の形態に係る搬送装置１の概略構造を示してある。搬送装置１は、スロープ３を介して図中矢印Ａ方向にカード媒体Ｐを送り込む上流側装置２、および上流側装置２から送り込まれたカード媒体Ｐを図中矢印Ｂ方向に一定速度で搬送する搬送部４を有する。
【００１１】
搬送部４は、略水平に延設されて２つのローラに巻回されて張設された無端状の搬送ベルト５を有する。搬送ベルト５は、図示しない駆動機構によって矢印Ｂ方向に無端走行し、上流側装置２から送り込まれたカード媒体Ｐを載置して矢印Ｂ方向に搬送する。このとき、スロープ３を介して送り込まれたカード媒体Ｐは、搬送ベルト５に衝突した後、搬送ベルト５上に載置され、搬送ベルト５の走行によって搬送される。
【００１２】
上流側装置２のスロープ３の終端近くには、上流側装置２から搬送部４に向けて送り出されるカード媒体Ｐを検知するためのセンサ６が設けられている。また、搬送部４の入口近くには、上流側装置２から搬送ベルト５上に送り込まれたカード媒体Ｐを検知するためのセンサ７が設けられている。さらに、搬送部４の出口近くには、搬送ベルト５を介して搬送部４から送り出されるカード媒体Ｐを検知するためのセンサ８が設けられている。
【００１３】
各センサ６、７、８は、カード媒体Ｐの搬送経路を挟んで発光部および受光部をそれぞれ有し、発光部から射出されて受光部にて受光される光ビームがカード媒体Ｐの搬送経路を横切る位置にそれぞれ位置決め配置されている。そして、各センサ６、７、８の光ビームをカード媒体Ｐが横切るときに受光部にて受光していた光ビームが遮断することをもってカード媒体Ｐを検知するようになっている。
【００１４】
尚、上流側装置２のセンサ６は本発明の第３検知部として機能し、搬送部４の入口にあるセンサ７は本発明の第１検知部として機能し、搬送部４の出口にあるセンサ８は本発明の第２検知部として機能する。また、本実施の形態では、各センサ６、７、８は、カード媒体Ｐの搬送方向先端通過を検知する（センサ出力：明→暗）ことによってカード媒体Ｐを検知するようにしたが、搬送方向後端を検知（センサ出力；暗→明）してカード媒体Ｐを検知するようにしても良い。
【００１５】
図２には、上述した搬送装置１におけるカード媒体Ｐの“追い越し”を判断するための各種演算処理をする演算部１０の構成をブロック図にして示してある。以下、カード媒体Ｐの搬送順序が入れ替わる現象を“追い越し”と称する。
【００１６】
カード媒体Ｐの追い越しは、例えば、搬送ベルト５上にカード媒体Ｐが送り込まれたとき搬送ベルト５にカード媒体Ｐが衝突することにより、或いは図示しない搬送ガイド等にカード媒体Ｐが衝突することにより、姿勢不良を生じることに起因して発生する。この場合、例えば、先行して搬送されるカード媒体Ｐの下に後続のカード媒体Ｐが入り込んで一旦重なった後、搬送ベルト５に接する側のカード媒体Ｐが先に搬送されて搬送順序が入れ替わる。
【００１７】
図２に示すように、演算部１０は、搬送時間計測装置１２、基準時間計測装置１４、および時計１６を有する。搬送時間計測装置１２には、上述した搬送装置１が接続されているとともに通知部１８が接続されている。搬送時間計測装置１２は、本発明の判断部、第１計測部、および第２計測部として機能する。
【００１８】
時計１６は、搬送時間計測装置１２からの問い合わせに応じてそのときの時刻を通知する。或いは、時計１６は、追い越しを検知可能な程度に十分に長い時間間隔をカウントできるタイマであっても良い。
【００１９】
搬送装置１は、上述したように、上流側装置２から送り込まれたカード媒体Ｐを搬送し、センサ７を介してカード媒体Ｐの搬送方向先端を検知したときに搬送部４にカード媒体Ｐが送り込まれたことを搬送時間計測装置１２に通知し、センサ８を介してカード媒体Ｐの搬送方向先端を検知したときに搬送部４からカード媒体Ｐが排出されたことを搬送時間計測装置１２に通知する。
【００２０】
基準時間計測装置１４は、上流側装置２のセンサ６を介してカード媒体Ｐの搬送方向先端を検知したときに上流側装置２からカード媒体Ｐが排出されたことを搬送時間計測装置１２に通知する。本実施の形態では、センサ６を搬送部４の直前に配置したが、センサ６は、カード媒体Ｐの搬送方向に沿って搬送部４より上流側に配置すれば良く、搬送部４に向かって搬送されるカード媒体Ｐをどこかで検知できれば良い。
【００２１】
搬送時間計測装置１２は、以下に説明するように動作して、搬送部４におけるカード媒体Ｐの追い越しの有無を判断し、追い越しを生じていることを判断した場合に、通知部１８を介してオペレータに通知する。
【００２２】
以下、図３および図４に示すフローチャートを参照して、搬送時間計測装置１２による追い越し判断処理について説明する。  
処理に先立ち、図３にステップ１として示すように、搬送時間計測装置１２は、ここでは図示しない後述するデータテーブルにある搬入時間用カウンタｉ、排出時間用カウンタｊ、および検査ポインタｋをゼロにリセットする。ここで言う搬入時間用カウンタｉとはセンサ７を通過したカード媒体Ｐの枚数であり、排出時間用カウンタｊとはセンサ８を通過したカード媒体Ｐの枚数であり、検査ポインタｋとは検査対象となるカード媒体Ｐの処理枚数である。
【００２３】
ステップ１で各カウンタをリセットした後、搬送時間計測装置１２は、ステップ２に示すように、基準時間計測装置１４からの通知を待つ。基準時間計測装置１４は、センサ６を介して１枚目のカード媒体Ｐの搬送方向先端を検知したとき、１枚目のカード媒体Ｐが上流側装置２から送り出されたことを搬送時間計測装置１２へ通知する。搬送時間計測装置１２は、基準時間計測装置１４からの通知に基づいてステップ３に示すように時計１６に時刻を問い合わせ、その時刻をステップ４に示すように基準時刻としてデータテーブルに書き込む。
【００２４】
この後、搬送時間計測装置１２は、センサ７の出力を監視し、ステップ５に示すように、カード媒体Ｐの搬送方向先端がセンサ７を通過したか否かを判断する。搬送装置１は、センサ７を介してカード媒体Ｐの搬送方向先端通過を検知すると、搬送時間計測装置１２へカード媒体Ｐが搬送装置１に送り込まれたことを通知する。搬送時間計測装置１２は、搬送装置１からの通知に基づいてステップ６に示すように時計１６に時刻を問い合わせ、その時刻をステップ７に示すように当該カード媒体Ｐの搬入時刻Ｉ（ｉ）としてデータテーブルに書き込む。この後、搬送時間計測装置１２は、ステップ８に示すように、上述したデータテーブルにある搬入時間用カウンタｉをカウントアップする。
【００２５】
さらに、搬送時間計測装置１２は、センサ８の出力を監視し、ステップ９に示すように、カード媒体Ｐの搬送方向先端がセンサ８を通過したか否かを判断する。搬送装置１は、センサ８を介してカード媒体Ｐの搬送方向先端通過を検知すると、搬送時間計測装置１２へカード媒体Ｐが搬送装置１から排出されたことを通知する。搬送時間計測装置１２は、搬送装置１からの通知に基づいてステップ１０に示すように時計１６に時刻を問い合わせ、その時刻をステップ１１に示すように当該カード媒体Ｐの排出時刻Ｏ（ｊ）としてデータテーブルに書き込む。この後、搬送時間計測装置１２は、ステップ１２に示すように、上述したデータテーブルにある排出時間用カウンタｊをカウントアップする。
【００２６】
そして、搬送時間計測装置１２は、連続して搬送される各カード媒体Ｐ毎にステップ７でデータテーブルに書き込んだ搬入時刻Ｉ（ｉ）とステップ１１でデータテーブルに書き込んだ排出時刻Ｏ（ｊ）に基づいて、ステップ１３に示すように、搬送装置１へ送り込まれるカード媒体Ｐの搬入間隔ＩＩ（第１の時間）、および搬送装置１から排出されるカード媒体Ｐの排出間隔ＯＩ（第２の時間）を演算し、演算結果をデータテーブルに書き込む。
【００２７】
ここで言う搬入間隔ＩＩとは先行するカード媒体Ｐの搬送方向先端がセンサ７によって検知されてから後続のカード媒体Ｐの搬送方向先端がセンサ７によって検知されるまでの時間であり、排出間隔ＯＩとは先行するカード媒体Ｐの搬送方向先端がセンサ８によって検知されてから後続のカード媒体Ｐの搬送方向先端がセンサ８によって検知されるまでの時間である。
【００２８】
そして、搬送時間計測装置１２は、各カード媒体Ｐ毎に搬入間隔ＩＩと排出間隔ＯＩを比較し、カード媒体Ｐに追い越しを生じたか否かを判断する。つまり、先行する第１のカード媒体Ｐと後続のカード媒体Ｐとの搬入間隔ＩＩと排出間隔ＯＩとを全てのカード媒体Ｐに関して比較する。なお、ここまでのステップ２〜ステップ１３の処理は、搬送装置１に送り込まれるカード媒体Ｐが無くなるまで続けられる。
【００２９】
次に、図４を参照して、上述したステップ１３の処理についてさらに詳細に説明する。  
搬送時間計測装置１２は、まず、上述したデータテーブルにある検査ポインタをチェックし、ステップ１４に示すように、１枚目のカード媒体Ｐに対する処理であるか否かを判断する。１枚目のカード媒体Ｐに対する処理である場合、搬送時間計測装置１２は、ステップ１５に示すように、ステップ１でリセットした検査ポインタをカウントアップ（すなわち１枚目のカード媒体Ｐを計数）し、ステップ１６に示すように、ステップ４でデータテーブルに書き込んだ基準時刻とステップ７でデータテーブルに書き込んだ１枚目のカード媒体Ｐの搬入時刻を比較する。
【００３０】
このとき、搬送時間計測装置１２は、基準時刻と搬入時刻との時間差（第３の時間）を予め計測した標準時間と比較して、算出した時間差が標準時間に対して±１０％の範囲内である場合に１枚目のカード媒体Ｐが正常に処理されていることを判断し、ステップ１７に示すように、通知部１８を介して正常に処理したことを通知する。一方、ステップ１６の判断の結果、算出した時間差が標準時間に対して±１０％の範囲を超えている場合、搬送時間計測装置１２は、１枚目のカード媒体Ｐに追い越しが発生していることを判断し、ステップ１８に示すように、通知部１８を介して追い越しを生じていることを通知する。
【００３１】
なお、ここで言う標準時間とは、搬送装置１によるカード媒体Ｐの搬送速度とセンサ６、７間の距離により一義的に決まる時間であり、正常に搬送処理されたカード媒体Ｐの搬送方向先端がセンサ６を通過してからセンサ７を通過するまでの時間を予め測定した値となる。また、本実施の形態では、ステップ１６において上述した基準時刻と搬入時刻との差を第３の時間として標準時間と比較するようにしたが、基準時刻と１枚目のカード媒体Ｐの排出時刻との時間差を予め測定した標準時間と比較するようにしても良い。この場合、標準時間は、センサ６、８間を正常に搬送されたカード媒体Ｐが通過する時間であることは言うまでも無い。
【００３２】
一方、ステップ１４の判断の結果、検査ポインタがゼロではない場合、搬送時間計測装置１２は、先行して搬送されるカード媒体Ｐがあることを判断し、ステップ１９に示すように先行するカード媒体Ｐと後続のカード媒体Ｐとの間の搬入間隔ＩＩを算出するとともに、ステップ２０に示すように２枚のカード媒体Ｐの排出間隔ＯＩを算出する。このとき、例えば、搬入間隔ＩＩは、当該カード媒体Ｐ（検査ポインタｋ）の搬送方向先端がセンサ７を通過した搬入時刻Ｉ（ｋ）から先行するカード媒体Ｐの搬入時刻Ｉ（ｋ−１）を引いた時間となる。
【００３３】
この後、搬送時間計測装置１２は、ステップ２１に示すように検査ポインタをカウントアップし、ステップ１９で算出した搬入間隔ＩＩとステップ２０で算出した排出間隔ＯＩを比較し、ステップ２２に示すように両者が近似した値になっているか否かを判断する。本実施の形態では、搬送時間計測装置１２は、搬入間隔ＩＩに対する排出間隔ＯＩの割合が±１０％を超えている場合に近似していないことを判断して２枚のカード媒体Ｐに追い越しが発生していることを判断し、ステップ２３に示すように通知部１８を介して追い越しを生じていることを通知するようにした。また、搬送時間計測装置１２は、ステップ２２で上述した条件を外れて搬入間隔ＩＩと排出間隔ＯＩが近似していることを判断すると、ステップ２４に示すように通知部１８を介して２枚のカード媒体Ｐが正常に搬送されたことを通知する。
【００３４】
以上のように、本実施の形態によると、搬送部４へ送り込まれるカード媒体Ｐの搬入間隔ＩＩと搬送部４から排出されるカード媒体Ｐの排出間隔ＯＩを比較することにより、カード媒体Ｐが搬送部４に送り込まれた後、正常に搬送されているか否かを判断するようにしたため、カード媒体Ｐに追い越しを生じていることを容易且つ確実に判断できる。特に、本実施の形態では、１枚目のカード媒体Ｐに対して上流側装置２に設けたセンサ６によって搬送部４の上流側でカード媒体Ｐの通過を検知するようにしたため、先行するカード媒体Ｐが無い１枚目のカード媒体Ｐについても搬送異常を検出でき、２枚目のカード媒体Ｐとの間に追い越しが生じていることも判断できる。
【００３５】
ここで、カード媒体Ｐに追い越しが生じている場合とそうでない場合の具体例について説明する。図５には、４枚のカード媒体Ｐが正常に搬送された場合におけるデータテーブルの一例を示してあり、図６には、４枚のカード媒体Ｐが異常搬送された場合におけるデータテーブルの一例を示してある。これらデータテーブルは、搬送時間計測装置１２にある。なお、この例では、センサ６、７間をカード媒体Ｐが通過する標準時間は２秒２１６であった。
【００３６】
図５に示した正常搬送の場合、１枚目のカード媒体Ｐの搬送方向先端がセンサ６を通過してからセンサ７を通過するまでの時間、すなわち基準時刻と搬入時刻との時間差が２秒２６０となっており、標準時間の２秒２１６と極めて近似しているのがわかる。また、正常搬送の場合、連続して搬送される２枚のカード媒体Ｐの搬入間隔ＩＩと排出間隔ＯＩが全てのカード媒体について略一致しているのがわかる。
【００３７】
これに対し、図６に示した異常搬送の場合、１枚目のカード媒体Ｐの基準時刻と搬入時刻との差が１１秒７１３となっており、標準時間の２秒２１６と大きく異なっているのがわかる。これは、センサ６、７間で１枚目のカード媒体Ｐが正常搬送されていないことを意味し、２枚目のカード媒体Ｐとの間に追い越しが生じているものと考えられる。また、例えば、２枚目のカード媒体Ｐと３枚目のカード媒体Ｐとの間の搬入間隔ＩＩと排出間隔ＯＩを比較すると、１４秒７１４もの時間差があり、両者の間に追い越しが生じているものと考えられる。
【００３８】
次に、図７を参照して、上述した搬送装置１をＩＤカード作成装置２０に組み込んだ例について説明する。このＩＤカード作成装置２０は、カード利用者の顔画像、住所、氏名などの個人情報をカード表面に印刷し、この個人情報に関するデータをカードに内蔵されたＩＣチップに書き込んでＩＤカードを作成する。
【００３９】
ＩＤカード作成装置２０は、ホッパ２１（取り出し部）、印画部２２、印字部２３、保護膜貼付部２４、保護膜転写部２５、紫外光照射部２６、データ書込み部２７、およびスタッカ２８を有する。また、ＩＤカード作成装置２０は、ホッパ２１から各部を通って延びた搬送路２９を有する。なお、上述した搬送装置１は、保護膜転写部２５としてＩＤカード作成装置２０に組み込まれている。
【００４０】
ホッパ２１は、図示しない脱着可能なカセットを有し、このカセット内に処理対象となる複数枚のＩＤカードを集積している。ホッパ２１は、カセット内に集積されたＩＤカードを１枚ずつ搬送路２９上に取り出す。
【００４１】
印画部２２は、搬送路２９を介して搬送されたＩＤカードの表面に利用者の顔画像をカラー画像として印画する。また、印字部２３は、ＩＤカード表面に利用者の住所や氏名などの文字情報を印字する。なお、印画部２２および印字部２３は、本発明の印刷部として機能する。
【００４２】
保護膜貼付部２４は、印画部２２で顔画像が印画されて印字部２３で文字情報が印字されたＩＤカード表面に、紫外光を照射することにより硬化する性質を有する保護膜を貼り付ける。保護膜転写部２５は、保護膜貼付部２４で貼り付けられた保護膜をＩＤカード表面に転写する。そして、紫外光照射部２６は、保護膜転写部２５でＩＤカード表面に転写された保護膜に紫外光を照射して保護膜を硬化させ定着させる。
【００４３】
データ書込み部２７は、搬送路２８上に取り出されたＩＤカードに内蔵されたＩＣチップに個人情報に関するデータを記憶する。スタッカ２８は、印画部２２で顔画像が印画されて印字部２３で文字情報が印字され、データ書込み部２７で個人データが書き込まれたＩＤカードを集積する。また、スタッカ２８は、排除すべきＩＤカードを集積する図示しないリジェクトスタッカを有する。
【００４４】
上記構造のＩＤカード作成装置２０で顔写真付ＩＤカードを作成する場合、まず、図示しないホスト機から利用者の顔画像などの個人情報を取得する。そして、ＩＣチップを内蔵したＩＤカードがホッパ２１から搬送路２９上に取り出され、取得した個人情報に基づいて印画部２２にて顔画像が印画され、印字部２３にて文字情報が印字される。
【００４５】
そして、保護膜貼付部２４にてＩＤカード表面に保護膜が貼付された後、ＩＤカードは、スロープ３を介して保護膜転写部２５へ送り込まれる。このとき、上述した３つのセンサ６、７、８（ここでは図示省略）によってＩＤカードの搬送方向先端通過を検知し、上述したようにＩＤカードの追い越しの有無を判断する。
【００４６】
そして、ＩＤカードは、紫外光照射部２６を経てデータ書込み部２７へ送り込まれる。このとき、追い越しが生じていることが判断されているＩＤカードは、ＩＣチップへの個人データの書込みをしないでリジェクトスタッカに集積され、追い越しが生じていないことが判断されているＩＤカードにのみ個人データが書き込まれる。
【００４７】
以上のように、顔画像、住所、氏名などの個人情報をカード表面に印刷した後、データ書込み部２７に向かう搬送途中でＩＤカードの追い越しの有無を判断することにより、追い越しを生じた場合におけるデータの書込みミスを防止することができる。つまり、カード表面に印刷する個人情報とＩＣチップに記憶する個人情報を確実に一致させることができる。
【００４８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００４９】
例えば、上述した実施の形態では、図４のステップ１６における判断基準およびステップ２２における判断基準を±１０％とした場合について説明したが、これに限らず、判断基準となる割合は任意に変更することができる。
【図面の簡単な説明】
【００５０】
【図１】この発明の実施の形態に係る搬送装置の概略構造を示す正面図。
【図２】図１の搬送装置におけるカード媒体の追い越しを判断するための演算部の構造を示すブロック図。
【図３】図２の演算部における追い越し判断処理を説明するためのフローチャート。
【図４】図２の演算部における追い越し判断処理を説明するためのフローチャート。
【図５】図１の搬送装置においてカード媒体が正常搬送された場合のデータテーブルの一例を示す図。
【図６】図１の搬送装置においてカード媒体が異常搬送された場合のデータテーブルの一例を示す図。
【図７】図１の搬送装置を組み込んだカード処理機の概略構造を示すブロック図。
【符号の説明】
【００５１】
１…搬送装置、２…上流側装置、３…スロープ、４…搬送部、５…搬送ベルト、６、７、８…センサ、１０…演算部、１２…搬送時間計測装置、１４…基準時間計測装置、１６…時計、１８…通知部、２０…カード処理機、２１…ホッパ、２２…印画部、２３…印字部、２４…保護膜貼付部、２５…保護膜転写部、２６…紫外光照射部、２７…データ書込み部、２８…スタッカ、２９…搬送路。
【図１】
2005251084.tif 000003
【図２】
2005251084.tif 000004
【図３】
2005251084.tif 000005
【図４】
2005251084.tif 000006
【図５】
2005251084.tif 000007
【図６】
2005251084.tif 000008
【図７】
2005251084.tif 000009